(57)【要約】【課題】火災発生時にガラスパネルを枠内に確実に保持することが可能となり、延焼防止機能を向上させた窓を提供する。【解決手段】ガラスパネル７の室外側の少なくとも２辺を、縦枠１または横枠の室外側に取付ける押縁２０によりシール材２１を介して固定する。室外側より押縁２０を取付ける縦枠１または横枠のうちの少なくとも１つに外れ止め金具２２を取付ける。外れ止め金具２２は、ガラスパネル７の室外側の面に対面する外れ止め部２２ａと、見込み面部２２ｂと、室内側見付け面部１ｂに重ねる取付け部２２ｃとを有する。取付け部２２ｃを室外側から取付ける固定具２３によって見付け面部１ｃに外れ止め金具２２を取付ける。【選択図】図４
2014105557.tif 000002
【特許請求の範囲】
【請求項１】
建物開口部の室外側の周囲に凹み部を設け、前記凹み部に、縦枠および横枠により組まれた枠体の室内側見付け面部の室内側の面を、前記凹み部の壁面に当接させて設置することにより、前記枠体が建物開口部の室内側から見て室内側開口部構成部材により隠蔽された構造とし、
前記ガラスパネルの室内側４辺を、前記縦枠および前記横枠のガラスパネル面内方向の内側に延出させた室内側見付け面部に対面させ、
前記ガラスパネルの室外側の少なくとも２辺を、前記縦枠または前記横枠の室外側に取付ける押縁によりシール材を介して固定し、
室外側より前記押縁を取付ける前記縦枠または前記横枠のうちの少なくとも１つに、ガラスパネルの室外側の面に対面する外れ止め部と、前記縦枠または前記横枠の見込み面部に対面する見込み面部と、前記縦枠または前記横枠の室内側見付け面部に重ねる取付け部とを有する外れ止め金具を、前記縦枠または前記横枠の室内側見付け面部に前記取付け部を室外側から取付ける固定具によって固定することにより取付けたことを特徴とする窓。
【請求項２】
請求項１に記載の窓において、
前記縦枠および前記横枠の前記ガラスパネルの端面に対面する見込み面部に加熱発泡材を設けると共に、前記外れ止め金具の前記見込み面部におけるガラスパネル対面部に、加熱発泡材を設けたことを特徴とする窓。
【請求項３】
請求項１または２に記載の窓において、
前記ガラスパネルの室内側の面と前記縦枠および前記横枠の前記室内側見付け面部との間に加熱発泡材を設けたことを特徴とする窓。
【発明の詳細な説明】
【技術分野】
【０００１】
本発明は、住宅等の建物に設置される窓に係わり、特に防火対策を施した窓に関する。
【背景技術】
【０００２】
住宅等の建物が密集する防火地域においては、防火性、すなわち延焼防止効果や熱的影響の軽減効果の高い窓を設置する必要がある。このため、例えば特許文献１に開示されているような、網入りガラスパネルや耐熱ガラスパネルを備えた防火窓が従来から使用されている。従来の窓は一般的には１枚ガラスであり、その上、従来は框や枠に燃えやすい樹脂製押出形材を用いることは少なく、網入りガラスにひびが入っても防火性能に影響は少なかった。
【０００３】
しかしながら近年、断熱性の向上による省エネ効果等を目的として、図１０の縦断面図や図１１の横断面図に示すようなペアガラス（PG）や、金属製押出形材と樹脂製押出形材とを用いた複合材が窓枠や框に多用されるようになってきた。図１０、図１１において、５０，５１は建物の開口部の上縁、下縁にそれぞれ設置される額縁、５２は建物の開口部の左右の縁に設置される額縁である。５３は左右の縦枠、５４，５５はそれぞれこれらの縦枠５３，５３間に結合された上枠、下枠として備えられた横枠であり、いずれもアルミニウム合金等の金属製押出形材でなるものである。５６，５７，５８はそれぞれこれらの縦枠５３および横枠５４，５５の室内側にこれらに結合して設けられる合成樹脂製押出形材であり、断熱性を高めて結露を防止すると共に、省エネ効果を持たせるために設けられるものである。
【０００４】
５９はこれらの押出形材により構成される枠内に収容されたガラスパネルであり、このガラスパネル５９は室外側ガラスパネル６０と室内側ガラスパネル６１とにより構成され、これらのガラスパネル６０，６１の間に、スペーサとしての金属製押出形材からなるスペーサ６２と接着剤を兼ねた合成樹脂製の封止材６３とを介在させたものである。
【０００５】
６４，６５はそれぞれ合成樹脂製押出形材５６，５７に結合して設けられる合成樹脂製押出形材でなる押縁である。６６は縦枠５３、横枠５４，５５の室外側部分に設けられ、２重パネル５９との間の隙間を封止するゴム等からなる乾式シール材、６７は同じ目的を持って合成樹脂製押出形材５８や押縁６４，６５に設けられた乾式シール材である。
【０００６】
図１０において、７０は横枠５４にねじ７１により取付けられ、火災発生時のガラスパネル５９の外れを防止する鉄製の外れ止め金具である。
【先行技術文献】
【特許文献】
【０００７】
【特許文献１】特開２０１１−１５３５１９号公報
【発明の概要】
【発明が解決しようとする課題】
【０００８】
しかしながら、図１０、図１１に示した従来構造によると、金属製押出形材に比較して耐熱性の低い合成樹脂製押出形材でなる押縁６５，６４がそれぞれ額縁５０，５２のガラスパネル５９の面内方向の内面よりＷ２，Ｗ３に示す幅だけ内側に突出しているので、火災が発生した場合、これらの押縁６４，６５が熱的影響により変形や崩壊を起こしやすく、このため、ガラスパネル５９と縦枠５３および横枠５４との間に隙間が発生したり、ガラスパネル５９の倒れを生じたりして、外部から内部への延焼、あるいは外部から内部への延焼が起こりやすくなるという問題点がある。
【０００９】
また、外れ止め金具７０はガラスパネル５９を枠内に装着した後に取付ける必要があるが、外れ止め金具７０とガラスパネル５９との掛かり部の幅Ｗ１（図１０参照）を大きくすると、ねじ７１による横枠５４（縦枠５３に外れ止め金具７０を取付けた場合には縦枠５３）に対する取付けが困難となる上、押縁６４，６５も大型化するため、この掛かり部の幅Ｗ１を大きくすることができない。このため、外れ止め金具７０とガラスパネル５９との掛かり部の幅Ｗ１を小さくせざるを得ず、その結果、ガラスパネル５９が室内側に倒れやすくなり、火災時に窓の部分が開口されて延焼が生じやすくなるという問題点がある。
【００１０】
また、外れ止め金具７０を取付けるねじ７１は、室内外方向（ガラスパネル５９の倒れ方向）に対して直交する向きに取付けられるため、ガラスパネル５９に倒れ方向の力が加わるとねじ７１やその取付け部が損傷しやすいという問題点がある。
【００１１】
本発明は、上記問題点に鑑み、火災発生時にガラスパネルを枠内に確実に保持することが可能となり、延焼防止機能を向上させた窓を提供することを目的とする。
【課題を解決するための手段】
【００１２】
請求項１の窓は、建物開口部の室外側の周囲に凹み部を設け、前記凹み部に、縦枠および横枠により組まれた枠体の室内側見付け面部の室内側の面を、前記凹み部の壁面に当接させて設置することにより、前記枠体が建物開口部の室内側から見て室内側開口部構成部材により隠蔽された構造とし、
前記ガラスパネルの室内側４辺を、前記縦枠および前記横枠のガラスパネル面内方向の内側に延出させた室内側見付け面部に対面させ、
前記ガラスパネルの室外側の少なくとも２辺を、前記縦枠または前記横枠の室外側に取付ける押縁によりシール材を介して固定し、
室外側より前記押縁を取付ける前記縦枠または前記横枠のうちの少なくとも１つに、ガラスパネルの室外側の面に対面する外れ止め部と、前記縦枠または前記横枠の見込み面部に対面する見込み面部と、前記縦枠または前記横枠の室内側見付け面部に重ねる取付け部とを有する外れ止め金具を、前記縦枠または前記横枠の室内側見付け面部に前記取付け部を室外側から取付ける固定具によって固定することにより取付けたことを特徴とする。
【００１３】
請求項２の窓は、請求項１に記載の窓において、
前記縦枠および前記横枠の前記ガラスパネルの端面に対面する見込み面部に加熱発泡材を設けると共に、前記外れ止め金具の前記見込み面部におけるガラスパネル対面部に、加熱発泡材を設けたことを特徴とする。
【００１４】
請求項３の窓は、請求項１または２に記載の窓において、
前記ガラスパネルの室内側の面と前記縦枠および前記横枠の前記室内側見付け面部との間に加熱発泡材を設けたことを特徴とする。
【発明の効果】
【００１５】
請求項１の発明によれば、室外側から押縁を取付ける構造にすると共に、押縁を取付ける前に、室外側から室内側に向けて取付ける固定具によって外れ止め金具を室外側から取付ける構造としたので、外れ止め金具の取付けが容易となる。
【００１６】
また、従来構造に比較し、外れ止め金具の取付けを容易化するための外れ止め金具の寸法上の制約が少なくなり、ガラスパネルの掛かり部の幅を十分にとることができ、火災時に押縁が脱落したとしても、外れ止め金具によってガラスパネルの外れを防止することができ、ガラスパネルの外れによる開口部発生に伴う延焼を確実に防止することができる。
【００１７】
また、外れ止め金具を取付ける固定具は室内側に向けて取付けられるため、固定具はガラスパネルの外れ方向、すなわちガラスパネルが室外側に外れようとする力を軸方向に受けることとなり、固定具に作用するする力に対して大きな取付け強度が得られ、固定具やその取付け部の損傷によるガラスパネルの外れも防止される。
【００１８】
請求項２の発明によれば、縦枠および横枠のガラスパネルの端面に対面する見込み面部に加熱発泡材を設けたので、火災時にこの加熱発泡材が膨張することにより、ガラスパネルの端面と枠体との間が閉塞される。このため、熱風や可燃性ガスの室内側への侵入がより確実に防止され、延焼防止効果がさらに向上する。また、火災時にガラスパネルが枠体により確実に保持されるので、外れ止め金具の作用とも相俟って、ガラスパネルの保持が強固、確実に行なわれ、ガラスパネル外れによる延焼もさらに確実に防止される。
【００１９】
また、外れ止め金具の部分では加熱発泡材をガラスパネルに対面する側に設けたので、火災時における加熱発泡材の膨張が外れ止め金具によって抑制されることなく、加熱発泡材の機能を十分に発揮することができる。
【００２０】
請求項３の発明によれば、ガラスパネルの室内側の面と縦枠および横枠の室内側の見付け面部との間にも加熱発泡材を設けたので、火災時にはこの加熱発泡材が膨張することにより、ガラスパネルの室内側の面と縦枠および横枠の室内側の見付け面部との間に隙間が発生することが防止される。また、加熱発泡材が膨張することにより、ガラスパネルの室外側に押圧され、室外側の面における隙間の発生も防止されるため、ガラスパネルと枠との間の隙間の発生が防止される。
【００２１】
このため、ガラスパネルと枠との間から熱風が室内側に侵入したり、シール材の加熱等によって発生する可燃性ガスが室内側に侵入して室内側が延焼しやすい状態となることを防止することができる。また、火災時に加熱発泡材の膨張によりガラスパネルが枠に保持できるので、ガラスパネルの構成を維持することができ、ガラスパネルの崩壊が防止され、外れ止め金具の外れ止め防止効果と相俟って、ガラスパネル外れによる延焼がより確実に防止される。
【図面の簡単な説明】
【００２２】
【図１】本発明の窓の一実施の形態を示す縦断面図である。
【図２】本実施の形態の窓の横断面図である。
【図３】図１の拡大縦断面図である。
【図４】図２の拡大横断面図である。
【図５】図３の上部の拡大縦断面図である。
【図６】図３の下部の拡大縦断面図である。
【図７】図４の片側の拡大横断面図である。
【図８】（Ａ）は本実施の形態において用いる外れ止め金具の側面図、（Ｂ）はその正面図である。
【図９】本実施の形態における火災時の形態の変化を示す横断面図である。
【図１０】従来の窓を示す縦断面図である。
【図１１】従来の窓を示す横断面図である。
【発明を実施するための形態】
【００２３】
図１は本発明の窓の一実施の形態を示す縦断面図、図２はその横断面図である。図１および図２において、１は左右の縦枠、２，３はそれぞれ上枠、下枠として備えた横枠である。この縦枠１および横枠２，３はアルミニウム合金等の金属製押出形材により構成される。４，５，６はそれぞれ後述の構造により縦枠１，横枠２，３の室外側に組み付けられて断熱性を高める合成樹脂製押出形材であり、それぞれ縦枠および横枠の一部をなすものである。縦枠１，横枠２，３および合成樹脂製押出形材4〜６により枠体Ｆが構成される。
【００２４】
図１において、３５，３６はそれぞれ建物開口部３７の基枠を構成する窓台とまぐさである。３８は窓台３５上にカイ木３９を介して設置された額縁、４０はまぐさ３６の下にカイ木４１を介して取付けられた額縁である。図２において、４２は窓台３５やまぐさ３６と共に建物開口部３７の基枠を構成する左右の柱、４３はこれらの柱４２にカイ木４４を介して設置された額縁である。これら４周の額縁３８，４０，４３，４３により建物開口部３７の内周面を構成し、これらの額縁３８，４０，４３，４３およびカイ木３９，４１，４４，４４と、窓台３５、まぐさ３６および柱４２，４２とにより、建物開口部３７の室外側に凹み部４５を構成する。そしてこの凹み部４５の壁面に枠体Ｆの室内側見付け面を当ててねじ等の固定具４６により固定する。そして室内側から見ると、枠体Ｆは額縁３８，４０，４３，４３や内装材４７によって隠蔽される構造とする。４８は胴縁、４９は外装材である。
【００２５】
図３、図４はそれぞれ図１、図２の拡大縦断面図、拡大横断面図である。また、図５、図６はそれぞれ図３の上部、下部の縦拡大断面図、図７は図４の片側の拡大横断面図である。図５〜図７に示すように、合成樹脂製押出形材４，５，６は、これらの押出形材４，５，６にそれぞれ設けた係止部４ａ，５ａ，６ａを、縦枠１，横枠２，３に設けた係止溝１ａ，２ａ，３ａに嵌合すると共に、押出形材４，５，６にそれぞれ設けた係止爪４ｂ，５ｂ，６ｂを縦枠１，横枠２，３にそれぞれ設けた係止突起１ｂ，２ｂ，３ｂに係止させて合成樹脂製押出形材４，５，６を縦枠１、横枠２，３に取付ける。これらの合成樹脂製押出形材４，５，６は、縦枠１および横枠２，３のガラスパネル７より室内側において、ガラスパネル７の面内方向の内側を覆う。
【００２６】
本実施の形態においては、枠体Ｆ内に収容されるガラスパネル７は、網入りガラスパネルでなる室外側ガラスパネル８と、室内側ガラスパネル９とにより２重パネルとして構成されたものを示す。ただし本発明は単層パネルにも適用可能である。なお、室内側ガラスパネル９としては、熱線の通過を抑制する金属膜を張ったものを用いることが、防火性を高める上で好ましい。図３、図６において、１０は横枠３のパネル取付け溝３ｘ内に設けられてガラスパネル７を載置するスペーサである。この例のスペーサ１０は金属製のもので、室外側に立ち上げ片１０ａを有することにより、外れ止めの機能を持たせたものである。
【００２７】
図５〜図７に示すように、室外側ガラスパネル８と室内側ガラスパネル９との間は、金属製押出形材でなるスペーサ１１が、接着剤１２により室外側ガラスパネル８と室内側ガラスパネル９の対向面に接着して設けられる。１３はスペーサ１１を覆うようにガラスパネル８，９の端部間に充填されてガラスパネル８，９間の空気層１４を封止する封止材であり、例えばブチル樹脂やシリコン樹脂等の合成樹脂を充填したものである。
【００２８】
図５〜図７に示すように、ガラスパネル７の室内側４辺を、縦枠１、横枠２，３の室内側の見付け面部１ｃ，２ｃ，３ｃに対面させる。そして、縦枠１、横枠２，３のこれらの対面部に、加熱発泡材１６を接着剤や両面テープにより張り付けてガラスパネル７を当接させる。この加熱発泡材１６は、有機系耐火材であり、シート状をなし、例えば２００℃前後で発泡して数倍ないし数十倍に膨張し、断熱層を形成するものである。
【００２９】
また、縦枠１、横枠２，３の見込み面部１ｄ，２ｄ，３ｅにも加熱発泡材２４を設ける。ただし、縦枠１の見込み面部１ｄについては、後述の外れ止め金具２２が重なる部分については、外れ止め金具２２の見込み面部２２ｂにおけるガラスパネル端面に対面する面に加熱発泡材２４を設ける。
【００３０】
図５〜図７に示すように、合成樹脂製押出形材４，５，６のガラスパネル対面部には乾式シール材１７を取付ける。
【００３１】
図３、図４に示すように、ガラスパネル７の室外側は金属製押出形材でなる押縁１９，２０により固定する。図５に示すように、ガラスパネル７の上辺部を固定する押縁１９は、横枠２の見込み面部２ｄに設けた係止溝２ｅに押縁１９の係止片１９ａを嵌合すると共に、横枠２の見込み面部２ｄに設けた係止突起２ｆに押縁１９の係止部１９ｂを係止させる。また、押縁１９に設けたシール材取付け部１９ｃにゴム等でなる乾式シール材２１を取付ける。そしてこの乾式シール材２１をガラスパネル７の室外側面に押接することにより、ガラスパネル７の室外側の上部の面が押縁１９により固定される。
【００３２】
また、ガラスパネル７の左右の側辺部を固定する縦枠１側の押縁２０は、図７に示すように、縦枠１の見込み面部１ｄに設けた係止溝１ｅに押縁２０の係止片２０ａを嵌合すると共に、縦枠１の見込み面部１ｄに設けた係止突起１ｆに押縁２０の係止部２０ｂを係止させる。また、押縁２０に設けたシール材取付け部２０ｃにゴム等でなる乾式シール材２１を取付ける。そしてこの乾式シール材２１をガラスパネル７の室外側面に押接することにより、ガラスパネル７の室外側の左右の面が押縁２０により固定される。
【００３３】
このような構成により、図７に示すように、ガラスパネル７の左右の側部は、縦枠１において、見付け面部１ｃと押縁２０との間で保持され、図５に示すように、ガラスパネル７の上部は、横枠２において、見付け面部２ｃと押縁１９との間で保持され、図６に示すように、ガラスパネル７の下部は、横枠３において、室内側見付け面部３ｃと室外側見付け面部３ｄとの間で保持され、いずれも金属製押出形材により囲まれて保持される。
【００３４】
図４、図７において、２２はガラスパネル７の外れ止めのために縦枠１に取付けた鉄等の縦枠１や横枠２，３でなる押出形材より融点の高い金属でなる外れ止め金具である。図８（Ａ）はこの外れ止め金具２２をガラスパネルの面内方向の内側から見た側面図、図８（Ｂ）は室外側から見た正面図である。この外れ止め金具２２は、ガラスパネル７の室外側の面に対面する外れ止め部２２ａと、縦枠１の見込み面部１ｄに対面する見込み面部２２ｂと、縦枠１の室内側見付け面部１ｃに重ねる取付け部２２ｃとを有し、取付け部２２ｃには複数個の貫通孔２２ｄを設ける。これらの貫通孔２２ｄは、室外側から見て外れ止め部２２ａを欠除させた位置に設ける。図８（Ｂ）に示すように、この外れ止め金具２２は縦枠１の全長にわたる長さを有する。
【００３５】
この外れ止め金具２２は、ガラスパネル７を縦枠１や横枠２，３で組まれた枠体Ｆにセットした後、押縁２０を取付ける前に、図７に示すように、縦枠１の室内側見付け面部１ｃに取付け部２２ｃを重ね、室外側から取付ける固定具（ねじ）２３を取付け部２２ｃに設けた複数の貫通孔２２ｄにそれぞれ挿通し、縦枠１の室内側見付け面部１ｃに設けたねじ孔１ｇに螺合することにより、縦枠１に取付ける。
【００３６】
外れ止め金具２２の外れ止め部２２ａには、この外れ止め部２２ａを直角に曲成してパネルストッパ２２ｅを形成する。パネルストッパ２２ｅの位置は、ガラスパネル７の左右いずれか一方の端面をこのパネルストッパ２２ｅに当接させた際に、ガラスパネル７の他方の端部が縦枠１の見付け面部１ｃや外れ止め金具２２から外れない位置に設定される。
【００３７】
上述のように、本実施の形態においては、ガラスパネル７の室内側４辺を、金属製押出形材でなる縦枠１および横枠２，３の室内側の見付け面部１ｃ，２ｃ，３ｃに対面させたので、従来のように合成樹脂製押出形材製押縁で室内側を押さえる構造に比較し、火災の際の熱による合成樹脂製押出形材５，６の変形や溶融によってガラスパネル７の室内側支持力の消失の問題が起こりにくく、ガラスパネル７の支持力保持を長時間にわたり維持することができる。また、ガラスパネル７の室外側を金属製押出形材でなる押縁１９，２０によって固定する構造としたので、ガラスパネル７の掛かり部の幅Ｗ４（図７参照）は室内側に設ける合成樹脂製押出形材４による制約をうけず、この掛かり部の幅を大きくとることができるので、ガラスパネル７をしっかり押さえることができ、ガラスパネル７の外れも防止できる。
【００３８】
また、室外側から押縁１９，２０を取付ける構造にすると共に、押縁１９，２０を取付ける前に、室外側から室内側に向けて取付ける固定具２３によって外れ止め金具２２を室外側から取付ける構造としたので、外れ止め金具２２の取付けが容易となる。
【００３９】
また、従来のように室内側に合成樹脂製押出形材を設ける構造に比較し、外れ止め金具２２の取付けを容易化するための外れ止め金具の寸法上の制約が少なくなり、ガラスパネル７の掛かり部の幅を十分にとることができ、火災時に押縁１９，２０が脱落したとしても、外れ止め金具２２によってガラスパネル７の外れを防止することができ、ガラスパネル７の外れによる開口部発生に伴う延焼を確実に防止することができる。
【００４０】
また、外れ止め金具２２を取付ける固定具２３は室内側に向けて取付けられるため、固定具２３はガラスパネル７の外れ方向、すなわちガラスパネル７が室外側に外れようとする力を軸方向に受けることとなり、固定具２３に作用する力に対して大きな取付け強度が得られ、固定具２３やその取付け部の損傷によるガラスパネル７の外れも防止される。
【００４１】
また本実施の形態においては、縦枠１および横枠２，３のガラスパネル７の端面に対面する見込み面部１ｄ，２ｄ，３ｅに加熱発泡材２４を設けたので、図９に示すように、火災時にこの加熱発泡材２４が膨張することにより、ガラスパネル７の端面と縦枠１および横枠２，３との間が閉塞される。このため、熱風や可燃性ガスの室内側への侵入がより確実に防止され、延焼防止効果がさらに向上する。また、火災時にガラスパネルが縦枠１および横枠２，３により加熱発泡材２４を介して確実に保持されるので、外れ止め金具２２による外れ止め作用とも相俟って、ガラスパネル７の保持が強固、確実に行なわれ、ガラスパネル７の外れによる延焼もさらに確実に防止される。
【００４２】
また、外れ止め金具２２の部分では加熱発泡材２４をガラスパネル７に対面する側に設けたので、火災時における加熱発泡材２４の膨張が外れ止め金具２２によって抑制されることなく、加熱発泡材２４の機能を十分に発揮することができる。
【００４３】
また本実施の形態においては、ガラスパネル７の室内側の面と縦枠１および横枠２，３の室内側の見付け面部１ｃ，２ｃ，３ｃとの間にも加熱発泡材１６を設けたので、火災時にはこの加熱発泡材１６が膨張することにより、ガラスパネル７の室内側の面と縦枠１および横枠２，３の室内側の見付け面部１ｃ，２ｃ，３ｃとの間に隙間が発生することが防止される。また、加熱発泡材１６が膨張することにより、ガラスパネル７が室外側に押圧され、ガラスパネル７の室外側の面における隙間の発生も防止される。
【００４４】
このため、ガラスパネル７と縦枠１および横枠２，３との間から熱風が室内側に侵入したり、シール材２１の加熱や封止材１３の加熱によって発生する可燃性ガスが室内側に侵入して室内側が延焼しやすい状態となることを防止することができる。また、火災時に加熱発泡材１６の膨張によりガラスパネル７が縦枠１および横枠２，３に保持できるので、ガラスパネル７の構成を維持することができ、ガラスパネル７の崩壊が防止され、外れ止め金具２２の外れ止め防止効果と相俟って、ガラスパネル７の外れによる延焼が確実に防止される。
【００４５】
なお、加熱発泡材１６，２４はいずれか一方のみを設けた場合であっても、火災時におけるガラスパネル７と枠体Ｆとの間の隙間発生防止効果や、ガラスパネル７の形態保持効果が得られる。
【００４６】
また、枠体Ｆは開口部の室外側に設けた凹み部４５に固定することにより、枠体Ｆが開口部の室内側構成部材によって隠蔽される構造としたので、室内側から火災が発生した場合、加熱発泡材１６への熱的影響が少なくなり、この加熱発泡材１６を設ける場合、これを小型化することができる。
【００４７】
本発明はガラスパネルが１重のパネルでなる場合にも適用できるが、本実施の形態のように、ガラスパネル７を２重パネルとすることにより断熱性がさらに高い窓を提供することができ、また、室外側パネル８が網入りガラスパネルでなることによって、さらに防火性の高い窓を提供することが可能となる。
【００４８】
なお、押縁１９，２０は窓枠を構成する４辺のうちの２辺以上設ければよく、上記実施の形態に示したような３辺（左右の縦枠１と横枠２）に限定されない。また、外れ止め金具２２は窓枠を構成する４辺のうちの１辺以上設けることによって外れ止め効果を発揮することができる。また本発明は、１枚のフィックス窓が複数の横枠や縦枠を備えてガラスパネルを分割した構造にも適用でき、横枠や縦枠に区画された枠内についてそれぞれ押縁や加熱発泡材等を設けた構成とすることができる。
【００４９】
以上本発明を実施の形態により説明したが、本発明を実施する場合、本発明の要旨を逸脱しない範囲において、構成部材やその組み合わせについて、種々の変更、付加が可能である。
【符号の説明】
【００５０】
１：縦枠、１ｃ：見付け面部、１ｄ：ねじ孔、２，３：横枠、２ｃ，３ｃ：見付け面部、４，５，６：合成樹脂製押出形材、７：ガラスパネル、８：室外側ガラスパネル、９：室内側ガラスパネル、１０：スペーサ、１１：スペーサ、１２：接着剤、１３：封止材、１６：加熱発泡材、１７：乾式シール材、１９，２０：押縁、２１：乾式シール材、２２：外れ止め金具、２２ａ：外れ止め部、２２ｂ：見込み面部、２２ｃ：取付け部、２２ｄ：貫通孔、２２ｅ：パネルストッパ、２４：加熱発泡材
【図１】
2014105557.tif 000003
【図２】
2014105557.tif 000004
【図３】
2014105557.tif 000005
【図４】
2014105557.tif 000006
【図５】
2014105557.tif 000007
【図６】
2014105557.tif 000008
【図７】
2014105557.tif 000009
【図８】
2014105557.tif 000010
【図９】
2014105557.tif 000011
【図１０】
2014105557.tif 000012
【図１１】
2014105557.tif 000013